【手続補正書】
【提出日】平成17年10月31日(2005.10.31)
【手続補正１】
【補正対象書類名】明細書
【補正対象項目名】特許請求の範囲
【補正方法】変更
【補正の内容】
【特許請求の範囲】
【請求項１】  認識対象となる人物の生体情報を取得する生体情報取得手段と、
あらかじめ認識対象となる人物の生体情報を登録情報として保持する登録情報保持手段と、
前記生体情報取得手段により取得された生体情報と前記登録情報保持手段に保持されている登録情報とを照合することにより両者の類似度を求め、この求めた類似度に基づき前記人物の認識を行なう認識手段と、
この認識手段において求められた類似度があらかじめ定められた所定の更新範囲内にあるか否かを判定し、当該類似度が所定の更新範囲内にあるとき、前記生体情報取得手段により取得された生体情報に基づき前記登録情報保持手段に保持されている登録情報を更新する登録情報更新手段と、
を具備したことを特徴とする人物認識装置。
【請求項２】  前記登録情報更新手段は、登録情報を更新する際に対応する類似度の値に応じて登録情報を更新する比率を変更することを特徴とする請求項１記載の人物認識装置。
【請求項３】  認識対象となる人物の生体情報を取得する生体情報取得手段と、
あらかじめ認識対象となる複数の人物の生体情報を登録情報として保持する登録情報保持手段と、
前記生体情報取得手段により取得された生体情報と前記登録情報保持手段に保持されている複数の登録情報とをそれぞれ照合することにより複数の類似度を求め、この求めた複数の類似度に基づき前記人物の認識を行なう認識手段と、
この認識手段において求められた複数の類似度の中で複数の類似度の差があらかじめ定められた所定の閾値以上であるか否かを判定し、当該複数の類似度の差が所定の閾値以上であるとき、前記生体情報取得手段により取得された生体情報に基づき前記登録情報保持手段に保持されている登録情報を更新する登録情報更新手段と、
を具備したことを特徴とする人物認識装置。
【請求項４】  前記複数の類似度の差は、最も高い類似度とその次に高い類似度との差であることを特徴とする請求項３記載の人物認識装置。
【請求項５】  前記複数の類似度の差は、あらかじめ認識対象となる人物の識別情報が入力されている場合には、その識別情報に対応する登録情報に対する類似度と、それ以外の登録情報に対する類似度の中で最も高い類似度との差であることを特徴とする請求項３記載の人物認識装置。
【請求項６】  前記複数の類似度の差は、あらかじめ認識対象となる人物の識別情報が入力されている場合には、その識別情報に対応する登録情報に対する類似度と、それ以外の登録情報に対する類似度の中の一部または全ての類似度によって求められる類似度との差であることを特徴とする請求項３記載の人物認識装置。
【請求項７】  認識対象となる人物の生体情報を取得する生体情報取得手段と、
この生体情報取得手段により取得された生体情報を履歴情報として記憶しておく履歴情報記憶手段と、
あらかじめ認識対象となる人物の生体情報を登録情報として保持する登録情報保持手段と、
前記生体情報取得手段により取得された生体情報と前記登録情報保持手段に保持されている登録情報とを照合することにより両者の類似度を求め、この求めた類似度に基づき前記人物の認識を行なう認識手段と、
この認識手段による認識終了後、前記生体情報取得手段により取得された生体情報と前記登録情報保持手段に保持されている登録情報とに基づき仮の登録情報を作成する仮登録情報作成手段と、
この仮登録情報作成手段により作成された仮の登録情報と前記履歴情報記憶手段に記憶されている過去に取得された生体情報との類似度を求めるとともに、前記登録情報保持手段に保持されている登録情報と前記履歴情報記憶手段に記憶されている過去に取得された生体情報との類似度を求め、登録情報保持手段の登録情報よりも仮の登録情報の方が高い類似度を与える場合、前記登録情報保持手段に保持されている対応する登録情報を前記仮の登録情報に置き換える登録情報更新手段と、
を具備したことを特徴とする人物認識装置。
【請求項８】  認識対象となる人物の生体情報を取得する生体情報取得手段と、
あらかじめ認識対象となる人物の生体情報を登録情報として保持する登録情報保持手段と、
前記生体情報取得手段により取得された生体情報と前記登録情報保持手段に保持されている登録情報とを照合することにより両者の類似度を求め、この求めた類似度に基づき前記人物の認識を行なう認識手段と、
この認識手段における認識時に得られる類似度に対して登録情報の更新を行なう範囲、登録情報の更新を行なわない範囲、登録情報の更新を行なうか否かを後で確認する範囲それぞれをあらかじめ設定しておき、当該類似度が登録情報の更新を行なう範囲である場合には、前記生体情報取得手段により取得された生体情報に基づき前記登録情報保持手段に保持されている登録情報を更新し、当該類似度が登録情報の更新を行なわない範囲である場合には登録情報の更新は行なわず、当該類似度が登録情報の更新を行なうか否かを後で確認する範囲である場合には、前記生体情報取得手段により取得された対応する生体情報を履歴情報として保存する第１の登録情報更新手段と、
この第１の登録情報更新手段により保存された生体情報を確認した後、当該生体情報に基づき前記登録情報保持手段に保持されている登録情報を更新する第２の登録情報更新手段と、
を具備したことを特徴とする人物認識装置。
【請求項９】  認識対象となる人物の生体情報を取得する生体情報取得手段と、
あらかじめ認識対象となる人物の生体情報を登録情報として保持する登録情報保持手段と、
前記生体情報取得手段により取得された生体情報と前記登録情報保持手段に保持されている登録情報とを照合することにより両者の類似度を求め、この求めた類似度に基づき前記人物の認識を行なう動作を最終的な認識結果が得られるまで繰り返し行なう認識手段と、
この認識手段において最終的な認識結果が得られるまでの時間または認識動作の回数があらかじめ定められた更新閾値以上になったか否かを判定し、更新閾値以上になったとき、前記生体情報取得手段により取得された生体情報に基づき前記登録情報保持手段に保持されている登録情報を更新する登録情報更新手段と、
を具備したことを特徴とする人物認識装置。
【請求項１０】  前記登録情報保持手段は、あらかじめ認識対象となる人物の生体情報を登録情報として当該人物を特定する識別情報を付加して保持しているとともに、
認識対象となる人物を特定する識別情報を入力する識別情報入力手段をさらに具備し、
前記認識手段は、
あらかじめ前記識別情報入力手段により識別情報が入力されている場合には、前記登録情報保持手段に保持されている当該識別情報に対応する登録情報との類似度を求め、この求めた類似度があらかじめ定められた閾値よりも高い場合に当該識別情報に対応する人物であると認識し、
あらかじめ前記識別情報入力手段により識別情報が入力されていない場合には、前記登録情報保持手段に保持されている全ての登録情報との類似度をそれぞれ求め、この求めた各類似度のうち最高となる類似度があらかじめ定められた閾値よりも高い場合に当該識別情報に対応する人物であると認識し、
あらかじめ前記識別情報入力手段により一部絞り込みを行なうことが可能である識別情報が入力されている場合には、前記登録情報保持手段に保持されている当該識別情報に対応する登録情報との類似度をそれぞれ求め、この求めた各類似度のうち最高となる類似度があらかじめ定められた閾値よりも高い場合に当該識別情報に対応する人物であると認識することを特徴とする請求項１，３，７，８，９のうちいずれか１つに記載の人物認識装置。
【請求項１１】  前記人物の生体情報は、顔画像、指紋画像、虹彩情報、掌形画像、指画像、音声情報のうち少なくともいずれか１つであることを特徴とする請求項１，３，７，８，９のうちいずれか１つに記載の人物認識装置。
【請求項１２】  認識対象となる人物の生体情報を取得する生体情報取得ステップと、
この生体情報取得ステップにより取得された生体情報と、あらかじめ認識対象となる人物の生体情報を登録情報として保持する登録情報保持手段に保持されている登録情報とを照合することにより両者の類似度を求め、この求めた類似度に基づき前記人物の認識を行なう認識ステップと、
この認識ステップにおいて求められた類似度があらかじめ定められた所定の更新範囲内にあるか否かを判定し、当該類似度が所定の更新範囲内にあるとき、前記生体情報取得ステップにより取得された生体情報に基づき前記登録情報保持手段に保持されている登録情報を更新する登録情報更新ステップと、
を具備したことを特徴とする人物認識方法。
【請求項１３】  認識対象となる人物の生体情報を取得する生体情報取得ステップと、
この生体情報取得ステップにより取得された生体情報と、あらかじめ認識対象となる複数の人物の生体情報を登録情報として保持する登録情報保持手段に保持されている複数の登録情報とをそれぞれ照合することにより複数の類似度を求め、この求めた複数の類似度に基づき前記人物の認識を行なう認識ステップと、
この認識ステップにおいて求められた複数の類似度の中で複数の類似度の差があらかじめ定められた所定の閾値以上であるか否かを判定し、当該複数の類似度の差が所定の閾値以上であるとき、前記生体情報取得ステップにより取得された生体情報に基づき前記登録情報保持手段に保持されている登録情報を更新する登録情報更新ステップと、
を具備したことを特徴とする人物認識方法。
【請求項１４】  認識対象となる人物の生体情報を取得する生体情報取得ステップと、
この生体情報取得ステップにより取得された生体情報を履歴情報として履歴情報記憶手段に記憶しておく履歴情報記憶ステップと、
前記生体情報取得ステップにより取得された生体情報と、あらかじめ認識対象となる人物の生体情報を登録情報として保持する登録情報保持手段に保持されている登録情報とを照合することにより両者の類似度を求め、この求めた類似度に基づき前記人物の認識を行なう認識ステップと、
この認識ステップによる認識終了後、前記生体情報取得ステップにより取得された生体情報と前記登録情報保持手段に保持されている登録情報とに基づき仮の登録情報を作成する仮登録情報作成ステップと、
この仮登録情報作成ステップにより作成された仮の登録情報と前記履歴情報記憶手段に記憶されている過去に取得された生体情報との類似度を求めるとともに、前記登録情報保持手段に保持されている登録情報と前記履歴情報記憶手段に記憶されている過去に取得された生体情報との類似度を求め、登録情報保持手段の登録情報よりも仮の登録情報の方が高い類似度を与える場合、前記登録情報保持手段に保持されている対応する登録情報を前記仮の登録情報に置き換える登録情報更新ステップと、
を具備したことを特徴とする人物認識方法。
【請求項１５】  認識対象となる人物の生体情報を取得する生体情報取得ステップと、
この生体情報取得ステップにより取得された生体情報と、あらかじめ認識対象となる人物の生体情報を登録情報として保持する登録情報保持手段に保持されている登録情報とを照合することにより両者の類似度を求め、この求めた類似度に基づき前記人物の認識を行なう動作を最終的な認識結果が得られるまで繰り返し行なう認識ステップと、
この認識ステップにおいて最終的な認識結果が得られるまでの時間または認識動作の回数があらかじめ定められた更新閾値以上になったか否かを判定し、更新閾値以上になったとき、前記生体情報取得ステップにより取得された生体情報に基づき前記登録情報保持手段に保持されている登録情報を更新する登録情報更新ステップと、
を具備したことを特徴とする人物認識方法。
【請求項１６】  通行者を認識して前記通行者の通行を制御する通行制御装置において、
前記通行者の生体情報を取得する生体情報取得手段と、
あらかじめ認識対象となる通行者の生体情報を登録情報として保持する登録情報保持手段と、
前記生体情報取得手段により取得された生体情報と前記登録情報保持手段に保持されている登録情報とを照合することにより両者の類似度を求め、この求めた類似度に基づき前記通行者の認識を行なう認識手段と、
この認識手段において求められた類似度があらかじめ定められた所定の更新範囲内にあるか否かを判定し、当該類似度が所定の更新範囲内にあるとき、前記生体情報取得手段により取得された生体情報に基づき前記登録情報保持手段に保持されている登録情報を更新する登録情報更新手段と、
前記認識手段の認識結果に応じて前記通行者の通行を制御する通行制御手段と、
を具備したことを特徴とする通行制御装置。
【請求項１７】  通行者を認識して前記通行者の通行を制御する通行制御装置において、
前記通行者の生体情報を取得する生体情報取得手段と、
あらかじめ認識対象となる複数の通行者の生体情報を登録情報として保持する登録情報保持手段と、
前記生体情報取得手段により取得された生体情報と前記登録情報保持手段に保持されている複数の登録情報とをそれぞれ照合することにより複数の類似度を求め、この求めた複数の類似度に基づき前記通行者の認識を行なう認識手段と、
この認識手段において求められた複数の類似度の中で複数の類似度の差があらかじめ定められた所定の閾値以上であるか否かを判定し、当該複数の類似度の差が所定の閾値以上であるとき、前記生体情報取得手段により取得された生体情報に基づき前記登録情報保持手段に保持されている登録情報を更新する登録情報更新手段と、
前記認識手段の認識結果に応じて前記通行者の通行を制御する通行制御手段と、
を具備したことを特徴とする通行制御装置。
【請求項１８】  通行者を認識して前記通行者の通行を制御する通行制御装置において、
前記通行者の生体情報を取得する生体情報取得手段と、
この生体情報取得手段により取得された生体情報を履歴情報として記憶しておく履歴情報記憶手段と、
あらかじめ認識対象となる通行者の生体情報を登録情報として保持する登録情報保持手段と、
前記生体情報取得手段により取得された生体情報と前記登録情報保持手段に保持されている登録情報とを照合することにより両者の類似度を求め、この求めた類似度に基づき前記通行者の認識を行なう認識手段と、
この認識手段による認識終了後、前記生体情報取得手段により取得された生体情報と前記登録情報保持手段に保持されている登録情報とに基づき仮の登録情報を作成する仮登録情報作成手段と、
この仮登録情報作成手段により作成された仮の登録情報と前記履歴情報記憶手段に記憶されている過去に取得された生体情報との類似度を求めるとともに、前記登録情報保持手段に保持されている登録情報と前記履歴情報記憶手段に記憶されている過去に取得された生体情報との類似度を求め、登録情報保持手段の登録情報よりも仮の登録情報の方が高い類似度を与える場合、前記登録情報保持手段に保持されている対応する登録情報を前記仮の登録情報に置き換える登録情報更新手段と、
前記認識手段の認識結果に応じて前記通行者の通行を制御する通行制御手段と、
を具備したことを特徴とする通行制御装置。
【請求項１９】  通行者を認識して前記通行者の通行を制御する通行制御装置において、
前記通行者の生体情報を取得する生体情報取得手段と、
あらかじめ認識対象となる通行者の生体情報を登録情報として保持する登録情報保持手段と、
前記生体情報取得手段により取得された生体情報と前記登録情報保持手段に保持されている登録情報とを照合することにより両者の類似度を求め、この求めた類似度に基づき前記通行者の認識を行なう動作を最終的な認識結果が得られるまで繰り返し行なう認識手段と、
この認識手段において最終的な認識結果が得られるまでの時間または認識動作の回数があらかじめ定められた更新閾値以上になったか否かを判定し、更新閾値以上になったとき、前記生体情報取得手段により取得された生体情報に基づき前記登録情報保持手段に保持されている登録情報を更新する登録情報更新手段と、
前記認識手段の認識結果に応じて前記通行者の通行を制御する通行制御手段と、
を具備したことを特徴とする通行制御装置。
【手続補正２】
【補正対象書類名】明細書
【補正対象項目名】００８７
【補正方法】削除
【補正の内容】